(57)【要約】【課題】防漏壁が内側へ位置ずれしにくい吸収性物品を提供すること。【解決手段】肌対向面側の両側部に位置し且つ長手方向へそれぞれ延びる防漏壁５を有する。各防漏壁５は、基壁部５ａと、基壁部５ａの上部から略水平方向に張り出した張り出し部５ｂとを備えている。各張り出し部５ｂは、吸収性物品１の幅方向における外方側から内方側へ向けて下方へ傾斜している。張り出し部５ｂの一部と基壁部５ａの一部とが接合されて、又は基壁部５ａの一部５１ａと基壁部５ａの他の部分５２ａとが接合されて、張り出し部５ｂが傾斜している。【選択図】図１
2008142340.tif 000002
【特許請求の範囲】
【請求項１】
肌対向面側の両側部に位置し且つ長手方向へそれぞれ延びる防漏壁を有し、
各防漏壁が、基壁部と、該基壁部の上部から略水平方向に張り出した張り出し部とを         備えた吸収性物品であって、
前記張り出し部の一部と前記基壁部の一部とが接合されて、又は該基壁部の一部と該基壁部の他の部分とが接合されて、各張り出し部が、吸収性物品の幅方向における外方側から内方側へ向けて下方へ傾斜している吸収性物品。
【請求項２】
着用者の排泄部対向部位において前記張り出し部の一部と前記基壁部の一部とが接合されて、又は該基壁部の一部と該基壁部の他の部分とが接合されて、前記張り出し部が、吸収性物品の幅方向における外方側から内方側へ向けて下方へ傾斜している請求項１記載の吸収性物品。
【請求項３】
前記肌対向面側の両側部であって前記防漏壁よりも幅方向内側に位置し且つ長手方向へそれぞれ延びる防漏溝を有し、各防漏溝は、前記排泄部対向部位において幅方向内方へ向けて湾曲している請求項２記載の吸収性物品。
【請求項４】
前記張り出し部は、着用者の排泄部対向部位において、幅方向外方へ向けて湾曲している請求項１ないし３の何れかに記載の吸収性物品。
【請求項５】
前記張り出し部が、前記基壁部の上部から、吸収性物品の幅方向内方及び外方に向けてそれぞれ張り出した内方張り出し部及び外方張り出し部からなり、
前記排泄部対向部位の前後の位置において、前記防漏壁が略Ｔ字状をなしている請求項１ないし４の何れかに記載の吸収性物品。
【請求項６】
前記張り出し部が、前記基壁部の上部から、吸収性物品の幅方向内方に向けて張り出した内方張り出し部からなり、
前記排泄部対向部位の前後の位置において、前記防漏壁が略逆Ｌ字状をなしている請求項１ないし４の何れかに記載の吸収性物品。
【請求項７】
前記張り出し部が、前記基壁部の上部から、吸収性物品の幅方向外方に向けて張り出した外方張り出し部からなると共に、前記排泄部対向部位の前後の位置において、前記基壁部が、吸収性物品の幅方向外方に向けて屈曲して略く字状をなしている請求項１ないし４の何れかに記載の吸収性物品。
【請求項８】
前記基壁部は、着用者の排泄部対向部位における高さに比して、該排泄部対向部位の後部の位置における高さの方が高くなっている請求項１ないし７の何れかに記載の吸収性物品。
【発明の詳細な説明】
【技術分野】
【０００１】
本発明は、生理用ナプキンや失禁パッドを始めとする、体液の吸収に用いられる吸収性物品に関する。
【背景技術】
【０００２】
生理用ナプキンなどの吸収性物品には一般に、その肌対向面側の左右両側部に、ナプキンの長手方向に延びる立体ギャザーと呼ばれる防漏壁が設けられている。立体ギャザーは、ナプキンの装着中に着用者の身体の動きに追従して身体への密着状態を維持し、それによっていわゆる横漏れを防止する働きを有している。しかし、追従性が良好であることに起因して、排泄部対向部位においては、立体ギャザーが内側に位置ずれしやすく、それによって該立体ギャザーが液で汚れてしまうことがある。また位置ずれが甚だしいときには液の吸収が妨げられる場合もある。
【０００３】
立体ギャザーを構成する防漏壁は、吸収性物品の肌対向面から上方へ向けて起立した形態となることが一般的ではあるものの、吸収性物品の幅方向における外方側から内方側へ向けて傾斜した形態のものも知られている（特許文献１ないし３参照）。しかし、これらの特許文献には、立体ギャザーの傾斜した形態をどのようにして実現・維持させるのかが記載されていない。したがってこれらの特許文献に記載の吸収性物品を装着すると、着用者の体圧に起因して立体ギャザーが倒伏し、傾斜形態が維持されないものと考えられる。
【０００４】
【特許文献１】特開２００２−２３８９４９公報
【特許文献２】特開２００３−２４３８４公報
【特許文献３】特開２００４−３５８１０９公報
【発明の開示】
【発明が解決しようとする課題】
【０００５】
本発明の目的は、立体ギャザーを有する従来の吸収性物品によりも、立体ギャザーの傾斜形状が安定的に維持され得る吸収性物品を提供することにある。
【課題を解決するための手段】
【０００６】
本発明は、肌対向面側の両側部に位置し且つ長手方向へそれぞれ延びる防漏壁を有し、
各防漏壁が、基壁部と、該基壁部の上部から略水平方向に張り出した張り出し部とを         備えた吸収性物品であって、
前記張り出し部の一部と前記基壁部の一部とが接合されて、又は該基壁部の一部と該基壁部の他の部分とが接合されて、各張り出し部が、吸収性物品の幅方向における外方側から内方側へ向けて下方へ傾斜している吸収性物品を提供するものである。
【発明の効果】
【０００７】
本発明の吸収性物品によれば、防漏壁の一部を構成する張り出し部によって、該防漏壁が吸収性物品の幅方向内側へ位置ずれしにくく、また着用者の体形に沿うため、液漏れ防止性及び液の吸収性が良好となる。
【発明を実施するための最良の形態】
【０００８】
以下本発明を、その好ましい実施形態に基づき図面を参照しながら説明する。図１には、本発明の吸収性物品の第１の実施形態としての生理用ナプキンの斜視図が示されている。図２には、図１におけるIIａ−IIａ線断面図及びIIｂ−IIｂ線断面図が示されている。
【０００９】
図１に示すように、本実施形態の生理用ナプキン１は、縦長の形状をしている。図１中、ナプキン１における手前側が、装着状態における着用者の前側に位置する。一方、同図中、ナプキン１における奥側が、装着状態における着用者の後側に位置する。図２（ａ）及び（ｂ）に示すように、ナプキン１は、着用者の肌に近い側に位置するトップシート２、着用者の肌から遠い側に位置するバックシート３、及びトップシート２とバックシート３との間に介在する液保持性の吸収体４を具備する。トップシート２は液透過性のものである。バックシート３は、液不透過性ないし撥水性のものである。ナプキン１の肌対向面側であるトップシート側における左右両側部には、その長手方向に沿って一対の防漏壁５，５が配されている。防漏壁５は、吸収体４の左右両側縁それぞれの近傍から起立している。
【００１０】
ナプキン１は、その着用時に着用者の排泄部に対向する部位である排泄部対向部位Ａを有している。排泄部対向部位Ａは、ナプキン１の長手方向における中央部よりもやや前方側（図１中、手前側）に偏倚した位置にある。
【００１１】
トップシート２は、吸収体４の上面の全域を被覆し且つ吸収体４の側縁から延出してバックシート側へ巻き込まれている。トップシート２は、従来の公知のものと同様の材料から構成することができ、例えば親水性の不織布や開孔フィルム等が用いられる。バックシート３は、吸収体４の下面側の全域に配されている。バックシート３は、例えば液不透過性のフィルムシート（好ましくは水蒸気透過性で且つ液不透過性のフィルムシート）から構成されている。吸収体４は、例えばフラッフパルプと高吸収性ポリマーの粒子との混合物がティッシュペーパーに包被されて構成されている。
【００１２】
バックシート３は、吸収体４の側縁から幅方向外方に延出し、ナプキン１の排泄部対向部位Ａの位置において一対のウイング６を形成している。なお、図示していないが、バックシート３及びウイング６の着衣対向面には、ナプキン１を着衣に固定するための粘着剤の層が形成されている。該粘着剤の層は図示していない剥離紙によって保護されている。
【００１３】
トップシート２及びバックシート３はそれぞれ吸収体４の前後端から延出しており、延出したトップシート２とバックシート３とが互いに接合固定されてエンドシール部７を形成している。
【００１４】
ナプキン１の左右両側部に配されている防漏壁５は、一枚の帯状シートをスリーブ状に且つＴ字型に加工して形成されている。防漏壁５は、基壁部５ａを備えている。基壁部５ａは、固定端と自由状態の上端とを有している。基壁部５ａの固定端は、吸収体４の側縁から所定の距離を隔てた外方の位置に存在している。
【００１５】
防漏壁５は更に張り出し部５ｂを備えている。張り出し部５ｂは、基壁部５ａの上部、具体的には上端から略水平方向に張り出している面状の部分である。ナプキン１の装着状態においては、張り出し部５ｂの上面が、着用者の肌に面で当接するようになっている。張り出し部５ｂは、ナプキン１の幅方向における内方及び外方それぞれへ同程度の張り出し量で張り出している内方張り出し部５１ｂ及び外方張り出し部５２ｂから構成されている。張り出し部５ｂの張り出しは、ナプキン１の長さ方向全域にわたっている。
【００１６】
張り出し５ｂには、防漏壁５の長手方向に延びる複数の弾性部材５ｃが配されている。弾性部材５ｃの構成材料としては、通常吸収性物品に用いられるものであれば特に制限されない。例えばポリオレフィン類（ブタジエン等）及びポリウレタン類並びに天然ゴムが好ましく用いられる。弾性部材５ｃの形状は糸状、紐状、帯状、フィルム状等とすることができる。本実施形態においては、糸状の弾性部材を用いている。弾性部材５ｃは、防漏壁５の全長にわたって配されている。尤も、弾性部材５ｃは、少なくともナプキン１の排泄部対向部位Ａに配されていれば足りる。弾性部材５ｃは、防漏壁５を形成するシート内に伸長状態で固定されている。この固定手段としては、ヒートシールやホットメルト接着剤などが用いられる。各弾性部材５ｃの伸長率はほぼ同様となっている。
【００１７】
図２（ａ）に示すように、ナプキン１の排泄部対向部位Ａにおいては、各防漏壁５の張り出し部５ｂが、ナプキン１の幅方向における外方側から内方側へ向けて下方へ傾斜している。張り出し部５ｂは、張り出し部５ｂの一部と基壁部５ａの一部とが接合されることで傾斜している。具体的には、防漏壁５を幅方向からみたときに、その内方側における最も高い位置に位置する部材である内方張り出し部５１ｂの下面が、そのすぐ下に位置する部材である基壁部５ａの内壁に固定されることで、張り出し部５ｂが傾斜している。この固定には、例えば接着剤による接着や、熱融着などが用いられる。
【００１８】
ナプキン１の自然状態においては弾性部材５ｃが収縮することで、防漏壁５が確実に起立する。そして、排泄部対向部位Ａにおいては、張り出し部５がナプキン１の幅方向における外方側から内方側へ向けて下方へ傾斜しているので、ナプキン１を幅方向からみたときに、左右の張り出し部５ｂ，５ｂは、これらを仮想的に結ぶ線が滑らかな凹曲線を形成するような形状となる。その結果、張り出し部５ｂが着用者の体形に沿うようになり、位置ずれの起こりやすい部位である排泄部対向部位Ａにおける防漏壁５がそれ以上内側へ位置ずれしにくくなる。このように、内方張り出し部５１ｂと基壁部５ａを固定するだけの簡単な加工によって、排泄部対向部位Ａにおいて防漏壁５が経血等の排泄液によって汚れることが効果的に防止される。勿論、液漏れ（横漏れ）も防止される。
【００１９】
一方、図２（ｂ）に示すように、排泄部対向部位Ａの前後の部位においては、排泄部対向部位Ａの前後の部位においては、内方張り出し部５１ｂと基壁部５ａは固定されていない。したがって張り出し部５ｂは、ナプキン１の肌当接面とほぼ平行な平坦面となっている。その結果、排泄部対向部位Ａの前後の部位においては、防漏壁５は、略Ｔ字状をなしている。これによって、張り出し部５ｂの上面が着用者の大腿部に弾性的に且つ面で密着するという面シール効果が発現する。その結果、防漏壁５が本来的に有する高い追従性に起因して、着用者が動作に起因する位置ずれが起こりにくくなり、液漏れが効果的に防止される。
【００２０】
張り出し部５ｂを構成する部材の一つである弾性部材５ｃを伸長させた状態下に、内方張り出し部５１ｂと基壁部５ｂとを接合すると、ナプキン１の平面視において、張り出し部５ｂがナプキン１の幅方向外方に向けて凸状に湾曲するようになる。内方張り出し部５１ｂと基壁部５ｂとの接合は、上述のとおり排泄部対向部位Ａにおいて行われるから、張り出し部５ｂは排泄部対向部位Ａにおいて凸状に湾曲することになる。張り出し部５ｂがこのような凸状の湾曲形状になることよって、ナプキン１の肌対向面側における液の受容領域が広くなる。その結果、液の吸収性が一層良好になる。なお、このような凸状の湾曲形状は、後述する第２ないし第４の実施形態においても同様に実現される。
【００２１】
図２（ａ）と図２（ｂ）との対比から明らかなように、防漏壁５における基壁部５ａは、着用者の排泄部対向部位における高さ（図２（ａ）参照）に比して、該排泄部対向部位の後部の位置における高さ（図２（ｂ）参照）の方が高くなっている。このような構成によって、排泄部対向部位よりも後ろ側からの液漏れ防止性が良好になるという利点が生じる。
【００２２】
防漏壁５は、その長手方向の前端部及び後端部の位置において、張り出し部５ｂのうちの内方張り出し部５１ｂがトップシート２に固定されている。この前後の固定位置間においては、張り出し部５ｂはトップシート２に固定されていない。これによって防漏壁５は、前後の固定位置間において一層起立しやすくなる。またナプキン１のバックシート側がトップシート側に向けて凸状に湾曲してナプキン全体が着用者の体型に沿った形状となる。その結果、張り出し部５ｂの上面が一層安定的に着用者の大腿部に密着し、面シール効果が一層発現するようになる。特に、本実施形態のように、防漏壁５の起立位置の外方にウイング６が設けられていると、ナプキン１の装着状態において、ウイング６の折り返しに起因して、防漏壁５の基端位置を外方へ安定化させる力が働き、ナプキン１の肌対向面側における液の受容領域も広くなる。
【００２３】
張り出し部５ｂがナプキン１の幅方向外方から内方へ向けて傾斜する形状は、前述したように、内方張り出し部５１ｂの下面が基壁部５ａの内壁に固定されることで実現されている。この場合、基壁部５ａの内壁への固定を、弾性部材５ｃの非伸長状態下に行うと、張り出し部５ｂの傾斜の程度は相対的に低くなる。逆に、弾性部材５ｃの伸長が大きい状態で、基壁部５ａの内壁への固定を行うと、張り出し部５ｂの傾斜の程度は相対的に大きくなる。また、張り出し部５ｂは、基壁部５ａと内方張り出し部５１ｂとの固定位置から徐々に傾斜するので、固定する長さ（ナプキン１の長手方向の長さ）に応じて傾斜状態が変化する。張り出し部５ｂと着用者の身体との接触性を考慮すると、張り出し部５ｂの最大傾斜角は３０〜５０度が好ましい。また張り出し部５ｂの傾斜を安定化させる（その条件での最大傾斜角とする）ためには、基壁部５ａと内方張り出し部５１ｂとは、ナプキン１の長手方向にわたり５ｃｍ以上固定されていることが好ましい。
【００２４】
防漏壁５の基端位置を外方へ安定化させる力が働くことに起因して、及び内方張り出し部５１ｂの長手方向前後端部がトップシート２に固定されていることに起因して、防漏壁５の張り出し部５ｂは、着用者の大腿部の動きによる影響を受け難くなり、面状が安定して発現する。更に、肌対向面側における液の受容領域も一層広くなる。一般に、本実施形態のように断面がＴ字状の防漏壁を有するナプキンにおいては、その長さが長くなるほど、該防漏壁の張り出し部が着用者の大腿部の動きによる影響を受けやすくなる傾向にあるが、本実施形態によればそのような影響を受け難くなる。
【００２５】
ナプキン１のトップシート側には、その両側部にナプキン１の長手方向へ延びる防漏溝８，８がそれぞれ形成されている。各防漏溝８は、トップシート２と吸収体４とが、トップシート側からエンボス等の圧搾手段によって圧密化及び一体化されて形成されている。各防漏溝８は、先に述べた各防漏壁５よりもナプキン１の幅方向内側にそれぞれ位置している。各防漏溝８は、ナプキン１の縦中心線に関してほぼ対称な形状になっている。各防漏溝８は、それらの前後端が互いに連結しており、これによって全体として閉じた環形状をなしている。排泄部対向部位Ａよりも後ろ寄りの位置においては、凸状曲線をなす第２の防漏溝９が形成されている。第２の防漏溝９は、ナプキン１の後端に向けて凸形状をなしている。また、第２の防漏溝９は、環形状をなしている防漏溝８内に形成されていると共に、第２の防漏溝９の各端部が防漏溝８に連結している。
【００２６】
図２（ａ）に示すように、ナプキン１の排泄部対向部位Ａにおいては、その幅方向でみたときに、防漏溝８，８間と防漏溝８の外側とで吸収体４の厚みに差がある。図２（ａ）から明らかなように、防漏溝８の外側よりも防漏溝８間、即ち閉じた形状の防漏溝８で取り囲まれた領域の方が、厚みが大きくなっている。本実施形態においては、吸収体４の構成材料は、防漏溝８間と防漏溝８の外側とで同じであるから、吸収体４の厚みの差は、吸収体４の坪量の差と対応している。つまり、ナプキン１においては、防漏溝８間に位置する吸収体４と、防漏溝８の外側に位置する吸収体４とで坪量に差があり、防漏溝８間に位置する吸収体４が、防漏溝８の外側に位置する吸収体４よりも高坪量になっている。その結果ナプキン１においては、防漏溝８で囲繞された領域が、防漏溝８の外側に位置する周縁域よりも盛り上がった形状をしている。
【００２７】
防漏溝８のうち排泄部対向部位Ａに位置する部位は、ナプキン１の幅方向内方へ向けて凸状に湾曲している。その結果、左右の防漏溝８間の距離は、排泄部対向部位Ａにおいて最も狭くなっている。防漏溝８がこのような形状になっていることで、ナプキン１の装着状態において着用者の動作に起因して横方向からの圧縮力がナプキン１に加わった場合、左右の張り出し部５ｂ，５ｂが内方へ向けて下方に一層傾斜しやすくなる。つまり左右の張り出し部５ｂ，５ｂを結んで形成される仮想的な凹曲線が一層滑らかな形状となる。その結果、張り出し部５ｂが着用者の体形に一層沿うようになり、液漏れが一層防止される。
【００２８】
特に、本実施形態のナプキン１においては、ナプキン１の装着状態において着用者の動作に起因して横方向からの圧縮力がナプキン１に加わった場合、図３に示すようにナプキン１の排泄部対向部位Ａが防漏溝８を折曲の起点として山折れしやすくなるので、吸収面、即ちトップシート側の面が安定的に盛り上がる。これによって、傾斜している左右の張り出し部５ｂ，５ｂ及び盛り上がった吸収面を結ぶ仮想的な滑らかな凹曲線が形成される。その結果、ナプキン１のフィット性が高まり、これによって防漏効果が一層高まる。特に、吸収体４において盛り上がる部分は、閉じた形状の防漏溝８によって取り囲まれているので、当該部分の面形状の安定性が一層高められている。
【００２９】
吸収面を一層安定的に盛り上げるためには、防漏溝８間に位置する吸収体４の坪量を高めるのが効果的である。防漏溝８間に位置する吸収体４が高坪量であることは先に述べたとおりであるが、当該坪量が３００〜１０００／ｍ2、特に４００〜６００ｇ／ｍ2であると、吸収面を更に一層安定的に盛り上げることが可能となる。また、この範囲の坪量は、ナプキン１の側方から加わる圧力によって、防漏溝８を折曲の起点としてナプキン１が身体側へ押し上げられやすくなる観点からも有利である。
【００３０】
平面視した防漏溝８の形状が、ナプキン１の幅方向外方へ向けて凸状に湾曲し、且つ排泄部対向部位において溝間の距離が最も広くなっている場合には、防漏溝８の凸状の湾曲形状、換言すればアーチ構造によってナプキン１の幅方向中央域が安定化し、吸収体４によれが発生しづらくなる。その結果、ナプキン１の形状が安定化する。ナプキン１の形状の安定化は、防漏壁５の形状の安定化に寄与する。したがって防漏壁５を設けた効果を安定して得易くなる。
【００３１】
防漏溝８間に位置する吸収体４の坪量は前述のとおりであり、一方、防漏溝８の外側に位置する吸収体４の坪量は、１００〜４００ｇ／ｍ2、特に１５０〜３００ｇ／ｍ2であることが、吸収面を一層安定的に盛り上げる観点、及び防漏溝８を折曲の起点としてナプキン１が身体側へ押し上げられやすくなる観点から好ましい。
【００３２】
同様の観点から、吸収体４において、前記の高坪量となっている領域は、吸収体４を平面視したとき、当該領域の輪郭が、閉じた形状をなしている防漏溝８の形状と一致していることが好ましい。吸収体４をこのように構成するためには、例えば吸収体４を下層吸収体と、その上に積層された上層吸収体との２層構成とし、上層吸収体の平面視での輪郭に沿って防漏溝８を形成すればよい。
【００３３】
次に、本発明の第２ないし第４の実施形態について図４ないし図６を参照しながら説明する。これらの実施形態に関し特に説明しない点については、先に説明した第１の実施形態に関する説明が適宜適用される。また図４ないし図６において、図１ないし図３と同じ部材には同じ符号を付してある。
【００３４】
図４は、第２の実施形態のナプキンにおける排泄部対向部位の幅方向断面図を示すものである。本実施形態のナプキン１においては、防漏壁５を構成するシートの側縁部が、基壁部５ａの固定端からナプキンの幅方向外方へ向けて延出し、バックシート３の延出部から構成されているウイング６上にまで位置している。これに対して、第１の実施形態においては、図２（ａ）に示すように、防漏壁５を構成するシートの端部が、吸収体４の下に巻き込まれている。これ以外の点については、本実施形態のナプキン１は、第１の実施形態のナプキンと同じ構成となっている。
【００３５】
図５（ａ）は、第３の実施形態のナプキンにおける排泄部対向部位の幅方向断面図を示すものである。図５（ｂ）は、第３の実施形態のナプキンにおける排泄部対向部位の前後の位置における幅方向断面図を示すものである。防漏壁５は、基壁部５ａ及びその上端から略水平方向に張り出した張り出し部５ｂを備えている。張り出し部５ｂは、ナプキン１の幅方向内方に張り出した内方張り出し部からなる。
【００３６】
図５（ａ）に示すように、ナプキン１の排泄部対向部位においては、各防漏壁５の張り出し部５ｂが、ナプキン１の幅方向外方側から内方側へ向けて下方へ傾斜している。具体的には、防漏壁５を幅方向からみたときに、その内方側における最も高い位置に位置する部材である張り出し部５ｂの下面が、そのすぐ下に位置する部材である基壁部５ａの内壁に固定されることで、張り出し部５ｂが傾斜している。一方、図５（ｂ）に示すように、排泄部対向部位の前後の部位においては、張り出し部５ｂと基壁部５ａは固定されておらず、張り出し部５ｂはナプキン１の肌当接面とほぼ平行な平坦面となっている。その結果、排泄部対向部位の前後の部位においては、防漏壁５は、略逆Ｌ字状をなしている。本実施形態においても、第１の実施形態と同様の効果が奏される。
【００３７】
図６（ａ）は、第４の実施形態のナプキンにおける排泄部対向部位の幅方向断面図を示すものである。図６（ｂ）は、第４の実施形態のナプキンにおける排泄部対向部位の前後の位置における幅方向断面図を示すものである。防漏壁５は、基壁部５ａ及びその上端から略水平方向に張り出した張り出し部５ｂを備えている。張り出し部５ｂは、ナプキン１の幅方向外方に張り出した外方張り出し部からなる。また基壁部５ａは、排泄部対向部位の前後の位置において、その高さ方向の略中央部がナプキン１の幅方向外方に向けて屈曲して、略く字状をなしている。く字状をなす基壁部５ａにおける屈曲部には弾性部材５ｄが配されている。基壁部５ａは、弾性部材５ｄが配されている位置を境として、それよりも下側に位置する下方壁部５１ａと上側に位置する上方壁部５２ａとに区分される。
【００３８】
図６（ａ）に示すように、ナプキン１の排泄部対向部位においては、各防漏壁５の張り出し部５ｂが、ナプキン１の幅方向における外方側から内方側へ向けて下方へ傾斜している。具体的には、防漏壁５を幅方向からみたときに、その内方側における最も高い位置に位置する部材である上方壁部５２ａの内壁が、そのすぐ下に位置する部材である下方壁部５１ａの内壁に固定されることで、張り出し部５ｂが傾斜している。一方、図５（ｂ）に示すように、排泄部対向部位の前後の部位においては、下方壁部５１ａと上方壁部５２ａは固定されておらず、張り出し部５ｂはナプキン１の肌当接面とほぼ平行な平坦面となっている。本実施形態においても、第１の実施形態と同様の効果が奏される。
【００３９】
以上、本発明をその好ましい実施形態に基づき説明したが、本発明は前記実施形態に制限されない。例えば前記実施形態は、本発明を生理用ナプキンに適用した例であるが、本発明は生理用ナプキン以外の吸収性物品、例えば失禁パッドや使い捨ておむつにも同様に適用可能である。
【００４０】
また、第１及び第２の実施形態においては、内方張り出し部５１ｂと外方張り出し部５２とで、水平方向への張り出し量が同じであったが、これに代えて内方張り出し部５１ｂと外方張り出し部５２とで張り出し量を異ならせてもよい。
【００４１】
また、図６（ａ）に示す第４の実施形態においては、上方壁部５２ａの内方端と、下方壁部５１ａの内方端とが固定されているが、これに代えてこれらの壁部５１ａ，５２ａにおける内方端と外方端との間の中間領域において固定を行ってもよい。このような固定を行うと、張り出し部５ｂの傾斜の程度は小さくなるが、防漏壁５の起立性が向上するという利点がある。したがって、尿のように早い速度で吸収面に液が排出される状況に対応する必要のある吸収性物品（例えば失禁パッド）において、かかる構成を採用すると、液の飛散防止効果と、液吸収時の液流れ防止効果が高まるので好ましい。
【００４２】
また前記の各実施形態においては、張り出し部５ｂが、基壁部５ａの上端から張り出していたが、これに代えて、基壁部５ａの上部の部位であって且つ上端よりは若干下方の位置から張り出し部５ｂを張り出させてもよい。
【００４３】
また前記実施形態においては、各防漏溝８はそれらの前後端が互いに連結していたが、これに代えて前端又は後端のどちらか一方の端部は連結していなくてもよく、或いは前後端の双方が連結していなくてもよい。
【図面の簡単な説明】
【００４４】
【図１】図１は、本発明の第１の実施形態としての生理用ナプキンを示す斜視図である。
【図２】図２（ａ）は図１におけるIIａ−IIａ線断面図、図２（ｂ）は図１におけるIIｂ−IIｂ線断面図である。
【図３】図３は、図１に示すナプキンを装着した状態での排泄部対向部における幅方向断面図である。
【図４】図４は、本発明の第２の実施形態としての生理用ナプキンにおける排泄部対向部位における幅方向断面図（図２（ａ）相当図）である。
【図５】図５（ａ）は、本発明の第３の実施形態としての生理用ナプキンにおける排泄部対向部位における幅方向断面図（図２（ａ）相当図）、図５（ｂ）は排泄部対向部位の前後における幅方向断面図（図２（ｂ）相当図）である。
【図６】図６（ａ）は、本発明の第３の実施形態としての生理用ナプキンにおける排泄部対向部位における幅方向断面図（図２（ａ）相当図）、図６（ｂ）は排泄部対向部位の前後における幅方向断面図（図２（ｂ）相当図）である。
【符号の説明】
【００４５】
１  生理用ナプキン
２  トップシート
３  バックシート
４  吸収体
５  防漏壁
５ａ  基壁部
５１ａ  下方壁部
５２ａ  上方壁部
５ｂ  張り出し部
５１ａ  内方張り出し部
５２ａ  内方張り出し部
８  防漏溝
Ａ  排泄部対向部位
【図１】
2008142340.tif 000003
【図２】
2008142340.tif 000004
【図３】
2008142340.tif 000005
【図４】
2008142340.tif 000006
【図５】
2008142340.tif 000007
【図６】
2008142340.tif 000008